(57)【特許請求の範囲】
【請求項１】
長手方向の一方の側端面が光源の光の入射面となった入射方向に長い長尺板状の導光材を形成し、この導光材を外郭体の内部に配置して、該導光材の一方の側端面から内部に導入された光源の光を前面から照射するエッジライト式照明装置の設置構造であって、
導光材の前面と後面とを非平行面に形成し、
上記外郭体を、前面の開口した断面凹状に設け、その側面を壁面に添わせて配設し、
導光材の後面を、外郭体の底面と平行に設け、
後面と非平行にされた導光材の前面を、壁面と反対側に面するような円弧状に形成し、この前面を外郭体の開放側に位置させて設けることで、
該前面から照射する線状の光が外郭体を配置した壁面と同じ壁面を照射するように配置させて成ることを特徴とするエッジライト式照明装置の設置構造。
【発明の詳細な説明】
【技術分野】
【０００１】
本発明は、エッジライト式照明装置の設置構造に関するものである。
【背景技術】
【０００２】
従来から、図５のように、側端面から内部に導入された光源２の光をその前面から照射する導光材３を備えたエッジライト式照明装置１が知られている（たとえば特許文献１参照）。このようなエッジライト式照明装置１は広告や標識の表示灯として使用されることが多かったのであるが、昨今では面状または線状に均一的に光を照射できる利点が注目されてその用途は広がってきている。
【０００３】
ところで、エッジライト式照明装置１を、たとえば壁面１３に光を照射するウォールウォッシャ１２（図３参照）や足元を照らす足元灯として用いる場合など、光はエッジライト式照明装置１から壁面１３に向けたり足元の比較的広い範囲に向けて照射されるのが望ましいのであり、つまりエッジライト式照明装置１には用途に応じて異なる適宜の配光パターンが必要となる。
【０００４】
このような要求に対して現状では、図６のように導光材３の前方に適宜の配光部材２０を重ねて配置し、導光材３から照射した光を配光部材２０で屈折させて照射方向を所定方向に変更することが行われているが、この対処方法だと配光部材２０を含めたエッジライト式照明装置１が大型化してしまう、という問題があった。
【特許文献１】特開２００１−１５５５２６号公報
【発明の開示】
【発明が解決しようとする課題】
【０００５】
本発明は上記の点に鑑みてなされたものであり、その目的とするところは、大型化を招かずに簡単な構成で照射方向を規定できるエッジライト式照明装置の設置構造を提供することにある。
【課題を解決するための手段】
【０００６】
上記課題を解決するために請求項１に係る発明にあっては下記構成を有する。すなわち、長手方向の一方の側端面が光源２の光の入射面となった入射方向に長い長尺板状の導光材３を形成し、この導光材３を外郭体５の内部に配置して、該導光材３の一方の側端面から内部に導入された光源２の光を前面３ａから照射するエッジライト式照明装置１の設置構造であって、導光材３の前面３ａと後面３ｂとを非平行面に形成し、上記外郭体５を、前面の開口した断面凹状に設け、その側面を壁面１３に添わせて配設し、導光材３の後面３ｂを、外郭体５の底面と平行に設け、後面３ｂと非平行にされた導光材３の前面３ａを、壁面１３と反対側に面するような円弧状に形成し、この前面３ａを外郭体５の開放側に位置させて設けることで、該前面３ａから照射する線状の光が外郭体５を配置した壁面１３と同じ壁面１３を照射するように配置させて成ることを特徴とする。
【０００７】
これによると、導光材３内に導入された光源２の光を、導光材３の非平行面にされた前面３ａや後面３ｂによって屈折させ、該前面３ａから所定方向に照射できるようになり、つまり、従来技術のように配光部材２０を用いることがなくてエッジライト式照明装置１の大型化を招かずに、簡単な構成で光の照射方向を規定でき、簡単な構成でウォールウォッシャ１２を実現できる。
【発明の効果】
【００１０】
本発明にあっては、大型化を招かずに簡単な構成で照射方向を規定して、外郭体を配置した壁面と同じ壁面を線状光で照射できるという利点を有する。
【発明を実施するための最良の形態】
【００１１】
以下、本発明を添付図面に示す実施形態に基いて説明する。
【００１２】
エッジライト式照明装置１は、図１のように、前方を開口する容器状の外殻体５の内部の一端部に光源２を配置すると共に、該光源２が側端面に隣接するように板状の導光材３を外殻体５の内部に設けた導光材収納部８に収めるように配置して成り、光源２の光を側端面の入射面６から導光材３の内部に導入し、導光材３の前面３ａの出射面４から該内部に導入された光源２の光を照射可能にしてある。本例では、光源２にＬＥＤ発光器を用いると共に導光材３は光源２の入射方向に長い長尺板状のものを用い、出射面４から光を線状（帯状）に照射可能にしてある。
【００１３】
ここで、導光材３の内部に導入された光源２の光を前方に照射する反射部７には、本例では導光材３の後面３ｂに凹凸を刻設して成る反射面７ａでこれを構成させているが、導光材３の後面３ｂに添設する板状又はシート状の反射材にて構成させることもできる。反射部７は導光材３の長さ方向に亙って設けられ、出射面４から光を線状（帯状）に照射可能にしてある。なお、導光材３は、たとえばガラス、アクリルやポリカーボネイト等の透明樹脂といった、透明性が有り屈折率も高いものを好適に用いることができる。
【００１４】
そして、本例のエッジライト式照明装置１では、前面３ａと後面３ｂとを非平行面に形成した導光材３が用いられている。これによると、導光材３内に導入された光源２の光を、導光材３の非平行面にされた前面３ａや後面３ｂによって屈折させ、該前面３ａから所定方向に照射できるようになり、つまり、従来技術のように配光部材２０を用いることがなくてエッジライト式照明装置１の大型化を招かずに、簡単な構成で光の照射方向を規定できたものである。
【００１５】
導光材３としては、たとえば図２に示す前面３ａや後面３ｂが非平行面にされて断面非矩形状にされた各種のものを使用できる。
【００１６】
詳しくは、図２（ａ）の導光材３は、平行な上辺１０ａと底辺１０ｂを両幅端部に位置させたような断面横倒し台形状に形成され、導光材３の出射面４が後面３ｂに対して勾配を有する傾斜出射面４ａに形成されている。矢印に示すように、導光材３の幅方向の中央に設けた反射部７で反射された反射光は、傾斜出射面４ａから導光材３の外方へ照射される際に屈折して、照射光が凡そ２対１の割合で異なる幅方向に向くようにその照射方向が規定される。
【００１７】
また、図２（ｂ）の導光材３は、断面かまぼこ状に形成され、導光材３の出射面４が前方に突出する凸曲出射面４ｂに形成されている。矢印に示すように、導光材３の幅方向の中央に設けた反射部７で反射された反射光は、凸曲出射面４ｂから導光材３の外方へ照射される際に屈折して、照射光が幅方向中央に集光するようにその照射方向が規定される。
【００１８】
また、図２（ｃ）の導光材３は、弦部１１ａを前方に向けて円弧部１１ｂを裏方に向けたような断面半円状に形成されている。反射部７は導光材３の幅方向の中央に設けられており、反射部７からの反射光の円弧部１１ｂへの入射角が臨界角よりも大きくなるように形成されている。すなわち、矢印に示すように、反射部７からの反射光は円弧部１１ｂである湾曲反射面９にて前方に向けて全反射し、弦部１１ａである出射面４を通って前方へ照射される。光源２からの光をロス無く効率良く出射光とできる。
【００１９】
また、図２（ｄ）の導光材３は、断面大略椀状に形成され、導光材３の出射面４が後方へ凹む凹曲出射面４ｃに形成されている。矢印に示すように、導光材３の幅方向の中央に設けた反射部７で反射された反射光は、凹曲出射面４ｃから導光材３の外方へ照射される際に屈折して、照射光が幅方向に拡散するようにその照射方向が規定される。
【００２０】
また、図２（ｅ）の導光材３は、図２（ｂ）の凸曲出射面４ｂと図２（ｃ）の湾曲反射面９とを組合せた形状を有する。図２（ｂ）（ｃ）の導光材３の利点、すなわち光源２の光を効率良く集めて照射できる利点を有する。
【００２１】
なお、エッジライト式照明装置１に配備する導光材３の製造方法としては、成型、レーザー加工、印刷加工等を適宜用いることができる。
【００２２】
このような本例のエッジライト式照明装置１は、比較的シビアな配光パターン（照射方向）が求められる用途、たとえば図３のようなウォールウォッシャ１２や図４のような室内装飾物１４に対して、好適に用いることができる。
【００２３】
なお詳しくは、図３のウォールウォッシャ１２に用いたエッジライト式照明装置１は、導光材３が配備された外殻体５を壁面１３に添わせて配設し、導光材３は照射面４となる前面３ａが壁面１３と反対側に面するような円弧状（凸曲出射面４ｂ）に形成されており、該照射面４から壁面１３に沿うような照射方向に光を照射可能にしている。本例のエッジライト式照明装置１は導光材３から線状の光を照射可能にしてあり、従来に無い線状光で壁面１３を照射するといった光の演出を可能にしてある。
【００２４】
また、図４の室内装飾物１４は、建物の天井面や壁面等の室内面１５にパネル材１６を添わせて配設し、このパネル材１６の周縁に設けたパネル外枠１７にエッジライト式照明装置１を用い、エッジライト式照明装置１でパネル材１６の周囲の室内面１５を照らして、間接照明にてパネル材１６の室内面１５からの浮き上がりを強調するといった光の演出で、立体的で高級感のある良好な室内外観を現出可能にしたものである（なお、図中の点を付して示す領域は光の照射領域である）。
【図面の簡単な説明】
【００２５】
【図１】本発明の実施の形態の例のエッジライト式照明装置の一部を透視した斜視図である。
【図２】（ａ）〜（ｅ）は同上のエッジライト式照明装置に用いる各導光材の断面図である。
【図３】同上のエッジライト式照明装置の使用形態の例の断面図である。
【図４】同上のエッジライト式照明装置の使用形態の他例の斜視図である。
【図５】従来技術の例のエッジライト式照明装置の正面図である。
【図６】従来技術の他例のエッジライト式照明装置の概略断面図である。
【符号の説明】
【００２６】
１  エッジライト式照明装置
２  光源
３  導光材
３ａ  前面
３ｂ  後面
４  出射面
５  外殻体
７  反射部
１２  ウォールウォッシャ
１３  壁面
【図１】
0005179225.tif 000002
【図２】
0005179225.tif 000003
【図３】
0005179225.tif 000004
【図４】
0005179225.tif 000005
【図５】
0005179225.tif 000006
【図６】
0005179225.tif 000007